(57)【特許請求の範囲】
【請求項１】
フラットケーブルの端部に取り付けるためのコネクタであって、
前記フラットケーブルの端部が配置される面である配置面を有しているステージと、
前記配置面を挟んで左右方向において互いに反対側に位置する２つの側壁部と、
前記配置面に形成されている、前記フラットケーブルに係合するための係合凸部と、
前記配置面と向き合うように形成されている対向部と、を有し、
前記フラットケーブルの端部は前記配置面と前記対向部との間に前記コネクタの前側から後側に向かって挿入可能であり、
前記対向部は、前記係合凸部よりも前方に位置し左右方向に伸びている第１の部分と、前記第１の部分から後方に伸びている第２の部分とを有し、
前記第１の部分は、前記２つの側壁部のうちの一方に接続している接続部と、前記接続部よりも前方に位置している部分とを有し、
前記第２の部分は前記第１の部分の前記接続部よりも後方に伸びており、
前記第１の部分は、前記接続部よりも前方に位置している前記部分において、前記第２の部分の後端部分よりも大きな厚さを有している
ことを特徴とするコネクタ。
【請求項２】
前記コネクタの前記対向部は、前記第２の部分が前記接続部を中心にして上下方向に動くように、弾性変形可能である
ことを特徴とする請求項１に記載のコネクタ。
【請求項３】
前記第２の部分は、前記係合凸部に対して右方又は左方に位置している
ことを特徴とする請求項１に記載のコネクタ。
【請求項４】
前記第２の部分の先端は、前記係合凸部よりも後方に位置している
ことを特徴とする請求項１に記載のコネクタ。
【請求項５】
前記係合凸部は、左右方向における前記配置面の端部に形成されている
ことを特徴とする請求項１に記載のコネクタ。
【請求項６】
前記配置面を挟んで左右方向において互いに反対側に位置する２つの側壁部をさらに有し、
前記第１の部分は前記２つの側壁部に掛け渡されており、
前記第２の部分は前記第１の部分の中心部から後方に伸びている
ことを特徴とする請求項１に記載のコネクタ。
【請求項７】
前記係合凸部は前記配置面から離れる方向に向いている第１の面を有し、
前記対向部の前記第２の部分は前記配置面に向いている第２の面を有し、
前記係合凸部の第１の面の前記配置面からの高さは、前記係合凸部の第１の面から前記第２の部分の前記第２の面までの距離よりも大きい
ことを特徴とする請求項１に記載のコネクタ。
【請求項８】
前記配置面と向き合うように形成され且つ前記係合凸部に対して後方に位置するガイド部をさらに有し、
前記フラットケーブルの縁は前記配置面と前記ガイド部との間に配置可能である
ことを特徴とする請求項１に記載のコネクタ。
【請求項９】
前方に開口しており且つ複数の端子が内側に配置される第２コネクタと、フラットケーブルの端部に取り付けられた状態で前記第２コネクタの内側に挿入される第１コネクタと、を有するコネクタ組立体であって、
前記第１コネクタは、
前記フラットケーブルの端部が配置される面である配置面を有しているステージと、
前記配置面を挟んで左右方向において互いに反対側に位置する２つの側壁部と、
前記配置面に形成されている、前記フラットケーブルに係合するための係合凸部と、
前記配置面と向き合うように形成されている対向部と、を有し、
前記フラットケーブルの端部は前記配置面と前記対向部との間に前記コネクタの前側から後側に向かって挿入可能であり、
前記対向部は、前記係合凸部よりも前方に位置し左右方向に伸びている第１の部分と、前記第１の部分から後方に伸びている第２の部分とを有し、
前記第１の部分は、前記２つの側壁部のうちの少なくとも一方に接続している接続部と、前記接続部よりも前方に位置している部分とを有し、
前記第２の部分は前記第１の部分の前記接続部よりも後方に伸びており、
前記第１の部分は、前記接続部よりも前方に位置している前記部分において、前記第２の部分の後端部分よりも大きな厚さを有している
ことを特徴とするコネクタ組立体。
【発明の詳細な説明】
【技術分野】
【０００１】
本発明はコネクタ及びコネクタ組立体に関する。
【背景技術】
【０００２】
下記特許文献１には、フラットケーブルの端部に取り付けられるコネクタが開示されている。特許文献１のコネクタは回路基板に実装されている相手方コネクタに嵌合し、フラットケーブルと回路基板とを電気的に接続する。特許文献１のコネクタは、フラットケーブルの端部が配置される平板部と、平板部と隙間を空けて向き合っているケーブルガイド片とを有している。平板部には係止突起が形成されている。フラットケーブルは平板部とケーブルガイド片との間に挿入され、平板部の係止突起がフラットケーブルの穴に嵌まる。係止突起によってフラットケーブルのコネクタからの抜けが防止される。
【先行技術文献】
【特許文献】
【０００３】
【特許文献１】特開２００２−１００４２５号公報
【発明の概要】
【発明が解決しようとする課題】
【０００４】
特許文献１のコネクタでは、ケーブルガイド片は左右方向に伸びている棒状に形成され、係止突起はケーブルガイド片からフラットケーブルの挿入方向に離れた位置に形成されている。そのため、フラットケーブルが大きく曲げられたり、動いたりした場合に、フラットケーブルの端部が平板部から浮いてしまい、フラットケーブルの穴が係止突起からはずれてしまう可能性がある。
【０００５】
本発明の目的は、フラットケーブルへの取付安定性を向上できるコネクタを提供することにある。
【課題を解決するための手段】
【０００６】
本発明に係るコネクタは、フラットケーブルの端部に取り付けるためのコネクタであって、前記フラットケーブルの端部が配置される面である配置面を有しているステージと、前記配置面に形成されている、前記フラットケーブルに係合するための係合凸部と、前記配置面と向き合うように形成されている対向部と、を有し、前記フラットケーブルの端部は前記配置面と前記対向部との間に前記コネクタの前側から後側に向かって挿入可能であり、前記対向部は、前記係合凸部よりも前方に位置している第１の部分と、前記第１の部分から後方に伸びている第２の部分とを有していることを特徴とする。これによれば、フラットケーブルの挿入方向における係合凸部と対向部との距離を第２の部分によって小さくできるので、コネクタのフラットケーブルへの取付安定性を向上できる。
【０００７】
また、本発明の一態様では、コネクタは、前記配置面を挟んで左右方向において互いに反対側に位置する２つの側壁部をさらに有し、前記第１の部分は左右方向に伸びており、前記２つの側壁部のうちの少なくとも一方に接続している接続部を有し、前記第１の部分は前記接続部に対して前方に位置している部分を有し、前記第２の部分は前記第１の部分の前記接続部よりも後方に伸びている。
【０００８】
また、本発明の一態様では、コネクタは、前記配置面を挟んで左右方向において互いに反対側に位置する２つの側壁部をさらに有し、前記第１の部分は、前記２つの側壁部のうちの少なくとも一方に接続している接続部を有し、前記コネクタの前記対向部は、前記第２の部分が前記接続部を中心にして上下方向に動くように、弾性変形可能である。
【０００９】
また、本発明の一態様では、前記第２の部分は、前記係合凸部に対して右方又は左方に位置している。
【００１０】
また、本発明の一態様では、前記第２の部分の先端は、前記係合凸部よりも後方に位置している。
【００１１】
また、本発明の一態様では、前記係合凸部は、左右方向における前記配置面の端部に形成されている。
【００１２】
また、本発明の一態様では、コネクタは、前記配置面を挟んで左右方向において互いに反対側に位置する２つの側壁部をさらに有し、前記第１の部分は前記２つの側壁部に掛け渡されており、前記第２の部分は前記第１の部分の中心部から後方に伸びている。
【００１３】
また、本発明の一態様では、前記係合凸部は前記配置面から離れる方向に向いている第１の面を有し、前記対向部の前記第２の部分は前記配置面に向いている第２の面を有し、前記係合凸部の第１の面の前記配置面からの高さは、前記係合凸部の第１の面から前記第２の部分の前記第２の面までの距離よりも大きい。
【００１４】
また、本発明の一態様では、前記配置面と向き合うように形成され且つ前記係合凸部に対して後方に位置するガイド部をさらに有し、前記フラットケーブルの縁は前記配置面と前記ガイド部との間に配置可能である。
【００１５】
また、本発明に係るコネクタ組立体は、前方に開口しており且つ複数の端子が内側に配置される第２コネクタと、フラットケーブルの端部に取り付けられた状態で前記第２コネクタの内側に挿入される第１コネクタと、を有するコネクタ組立体であって、前記第１コネクタは、前記フラットケーブルの端部が配置される面である配置面を有しているステージと、前記配置面に形成されている、前記フラットケーブルに係合するための係合凸部と、前記配置面と向き合うように形成されている対向部と、を有し、前記フラットケーブルの端部は前記配置面と前記対向部との間に前記コネクタの前側から後側に向かって挿入可能であり、前記対向部は、前記係合凸部よりも前方に位置している第１の部分と、前記第１の部分から後方に伸びている第２の部分とを有していることを特徴とする。
【図面の簡単な説明】
【００１６】
【図１】本発明の第１の実施形態に係る第１コネクタ１ａ、第２コネクタ６、及びフラットケーブル９ａを斜め上から見た斜視図である。
【図２】第１コネクタ１ａ、第２コネクタ６、及びフラットケーブル９ａを斜め下から見た斜視図である。
【図３】第１コネクタ１ａにフラットケーブル９ａが挿入された状態を示す下面図である。
【図４Ａ】図１に示すＩV―ＩV線における断面を示す図である。
【図４Ｂ】図４Ａの断面を拡大した図である。
【図５Ａ】図４Ａの断面におけるフラットケーブル９ａの挿入過程を示す図である。
【図５Ｂ】図４Ａの断面におけるフラットケーブル９ａの挿入後の状態を示す図である。
【図６】本発明の第２の実施形態に係る第１コネクタ１ｂ及びフラットケーブル９ｂを斜め下から見た斜視図である。
【発明を実施するための形態】
【００１７】
[１．第１の実施形態]
はじめに、本発明を実施するための第１の実施形態について、図１乃至図５Ｂを参照しながら説明する。図１は、第１の実施形態に係る、第１コネクタ１ａ、第２コネクタ６、及びフラットケーブル９ａを斜め上から見た斜視図である。図２は、第１コネクタ１ａ、第２コネクタ６、及びフラットケーブル９ａを斜め下から見た斜視図である。図３は、第１コネクタ１ａにフラットケーブル９ａが挿入された状態を示す下面図である。図４Ａは、図１に示すＩV―ＩV線における断面を示す図である。図４Ｂは、図４Ａの断面を拡大した図である。図５Ａは、図４Ａの断面におけるフラットケーブル９ａの挿入過程を示す図である。図５Ｂは、図４Ａの断面におけるフラットケーブル９ａの挿入後の状態を示す図である。以下の説明では、各図のＸ１，Ｘ２が示す方向を、それぞれ前方，後方とする。また、各図のＹ１，Ｙ２が示す方向を、それぞれ左方，右方とする。また、各図のＺ１，Ｚ２が示す方向を、それぞれ上方，下方とする。
【００１８】
本実施形態に係る第１コネクタ１ａは、フラットケーブル９ａの端部９１に取り付けられるコネクタである。第１コネクタ１ａは、略角筒状に形成される第２コネクタ６の内側に挿入されることで、１つのコネクタアッセンブリを構成する。図１，図２に示すように、作業者は、第１コネクタ１ａの前端から後方に伸びる挿入路Ｓ１に沿ってフラットケーブル９ａを挿入することができる。また、第２コネクタ６は、前側に開口し前後方向に伸びる挿入穴Ｓ２を有しており、作業者は、挿入穴Ｓ２の内側に、フラットケーブル９ａが取り付けられた状態の第１コネクタ１ａを挿入することができる。なお、本実施形態では、第１コネクタ１ａが本発明における「コネクタ」に相当する。
【００１９】
図２に示すように、第２コネクタ６の左右の端の近傍には、板状の金属を屈曲して形成されるネイル７が取り付けられている。ネイル７の下側には、第２コネクタ６の下側の外面に沿って平行に広がる下面が形成されている。また、第２コネクタ６には、金属などの導電材料からなる複数の端子８が挿入されている。端子８は、前後方向に伸び、第２コネクタ６の後面を貫き挿入穴Ｓ２の内側に至る部分と、その前部分の後端から下方に伸びて第２コネクタ６の下側の外面に至り、下端が鈎状に形成された部分とを有している。第２コネクタ６は、図示しない基板の上に配置される。ここで、ネイル７の下面や端子８の下端が半田などで接着されることにより、第２コネクタ６は基板の上に固定される。端子８の下端は、基板の上面に配置される導電面に接着されることで、該導電面に電気的に接続される。
【００２０】
図１乃至図３に示すように、第１コネクタ１ａは、平面的に見て略方形に形成されるステージ２を有している。図１に示すように、ステージ２の上側（後述する配置面２１の裏面側）には、第２コネクタ６と嵌合するための板バネ部１１が形成されている。板バネ部１１は、ステージ２の上面と繋がり上方に起立する部分から前側に伸びる板状の部分と、板バネ部１１の前端において板バネ部１１の上側に配置される被押圧面１１２を有している。被押圧面１１２は、平面的に見て略方形に形成されており、その下側で板バネ部１１と繋がっている。また、被押圧面１１２の後方には、バネ部１１の上面から上方へ向う凸形状の係合部１１１が形成されている。
【００２１】
第２コネクタ６には、挿入穴Ｓ２の上下左右及び後側を囲う壁部が形成されており、上側の壁部６１の左右方向における中間位置には、上側の壁部６１の前面６１１よりも前側に突き出た突き出し部６１２が形成されている。図２に示すように、突き出し部６１２の下面には、中央の略方形の窪み６１３を囲い、下方に突出する縁部６１４が形成されている。第２コネクタ６の内側に第１コネクタ１ａが挿入されると、第１コネクタ１ａの係合部１１１は突き出し部６１２の窪み６１３に嵌まり、縁部６１４の後面と係合する。これにより、第２コネクタ６に挿入された第１コネクタ１ａの抜けや外れを防止することができる。また、係合部１１１が配置される板バネ部１１は、下方に弾性変形できるため、作業者は、被押圧面１１２を下方に押すことで、第２コネクタ６の縁部６１４と係合部１１１との係合を外し、容易に第１コネクタ１ａを引き抜くことができる。
【００２２】
また、板バネ部１１の後側で板バネ部１１を挟む左右の位置には、上方に突出し略角柱状に形成されるガード部１２が形成されている。第１コネクタ１ａの挿入過程において、ガード部１２の後面は、第２コネクタ６を構成する上側の壁部６１の前面６１１と当接する。これにより、第２コネクタ６に対する第１コネクタ１ａの過度な挿入が規制される。また、ガード部１２の上面は、板バネ部１１に形成される被押圧面１１２よりも上方に配置される。作業者が第１コネクタ１ａを挿入する際、作業者の指はガード部１２の上面に接し、被押圧面１１２には接していない。このため、係合部１１１が縁部６１４を係合する際、縁部６１４の下面により係合部１１１の上面が押されて板バネ部１１が下方に撓み、係合部１１１が縁部６１４を乗り越えると、板バネ部１１は弾性的に上方に動いて縁部６１４の下面を叩く。この際に発生する音や振動により、作業者は、第１コネクタ１ａが第２コネクタ６における正規の位置に挿入されたことを認識することができる。
【００２３】
図１及び図２に示すように、ステージ２には、配置面２１を挟んで左右方向において互いに反対側に位置する２つの側壁部１０（具体的には、第１コネクタ１ａの左端を構成する左側の側壁部１０Ａと、第１コネクタ１ａの右端を構成する右側の側壁部１０Ｂ）が形成されている。第１コネクタ１ａは、シンメトリックに形成され、側壁部１０Ａと側壁部１０Ｂとは、左右対称に同一の形状となっている。また、図１に示すように、左右の側壁部１０Ａ，１０Ｂは、それらの内側に向かって張り出している上壁部１４を有している。上壁部１４は、ステージ２の上方に形成されている。また、図３に示すように、配置面２１の下側には、後述するガイド部５Ａ，５Ｂが形成されている。左右の側壁部１０Ａ，１０Ｂ及びガイド部５Ａ，５Ｂは、その後端に、略方形の下壁部５４を有している。下壁部５４の左右方向における横幅は、上壁部１４の左右方向における横幅よりも広く形成されている。
【００２４】
第２コネクタ６の内側に設けられる挿入穴Ｓ２には、上壁部が収納される略角柱状の空間である上スペース６５と、下壁部５４が収納される略角柱状の空間である下スペース６６とが設けられている。上スペース６５の左右方向における横幅は、上壁部１４の横幅よりも若干広く、下壁部５４の横幅よりも狭くなっている。このため、第１コネクタ１ａの上下を逆にした状態では、第２コネクタ６に対する第１コネクタ１ａの挿入が規制される。
【００２５】
図２に示すように、フラットケーブル９ａの端部９１の下側には、金属などの導電材料からなる複数の導電面９５が形成されている。複数の導電面９５は、フラットケーブル９ａの後端において左右方向に沿って一列に並んでいる。複数の導電面９５の各々には、図示しない配線が接続されており、この配線を介してフラットケーブル９ａの端部９１とは反対側の端部に形成される導電面と電気的に繋がっている。第２コネクタ６の内側に第１コネクタ１ａ及びフラットケーブル９ａが挿入されている状態で、導電面９５は、該第２コネクタ６に挿入された端子８と接触し、電気的に接続される。フラットケーブル９ａは、樹脂などから成る板状の補強板９２を有している。補強板９２は、フラットケーブル９ａの端部９１の上面に重ねられ、平面的に見て、端部９１と同一の形状に形成されている。フラットケーブル９ａの端部９１に補強板９２を設けることで、該端部９１における折れや曲りを防止している。また、フラットケーブル９ａの端部には、第１コネクタ１ａに形成されている後述する係合凸部４Ａ，４Ｂが係合し、フラットケーブル９ａの抜けを規制する被係合部が形成されている。例えば、図２に示すように、フラットケーブル９ａは、左右方向の横幅が他の部分の横幅よりも狭い括れ部Ｕを有している。括れ部Ｕの後側には、左右方向に沿って伸びる後縁部９３が形成されており、この後縁部９３が第１コネクタ１ａの係合凸部４Ａ，４Ｂに係合する被係合部として機能する。括れ部Ｕの前側には、フラットケーブル９ａの左右方向における外側へ向かい、且つ、フラットケーブル９ａの前側へ向かう斜めの方向に伸びる前縁部９４が形成されている。フラットケーブル９ａは、括れ部Ｕの左右方向における横幅ｕ２が最も狭く、該括れ部Ｕの前側の横幅ｕ３は、端部９１の横幅ｕ１よりも広くなっている。
【００２６】
ステージ２の下側には、フラットケーブル９ａの端部９１が配置される、略方形の平坦な下面である配置面２１が設けられている。また、ステージ２の左端と右端とに形成される側壁部１０は、配置面２１と接する部分から下方に伸びる内面１０１を有している。２つの側壁部１０Ａ，１０Ｂのそれぞれの内面１０１は、配置面２１を挟んで互いに向かい合っている。図３に示すように、配置面２１の左右方向における横幅（即ち、側壁部１０Ａ，１０Ｂの各内面１０１の間の距離）は、フラットケーブル９ａの端部９１の左右方向における横幅よりも若干広く設けられている。このため、挿入路Ｓ１に挿入されたフラットケーブル９ａの端部９１は、側壁部１０の内面１０１に当たり、左右方向においてずれることなく配置面２１の下に誘導される。
【００２７】
図３に示すように、配置面２１には、フラットケーブル９ａの後縁部９３と係合するための係合凸部４として、配置面２１の左端に配置される係合凸部４Ａと、配置面２１の右端に配置される係合凸部４Ｂが形成されている。係合凸部４Ａ，４Ｂは、平面的に見て方形に形成されており、左右方向に沿って平行に並んでいる。図３及び図４Ａに示すように、係合凸部４は、配置面２１から後方且つ下方の斜めに伸びる傾斜面４１と、傾斜面４１の反対側で、配置面２１から下方且つ左右方向に伸びる後面４２と、傾斜面４１及び後面４２の下端と繋がり下方（即ち、配置面２１から離れる方向）に向いている下面４３を有している。係合凸部４が傾斜面４１を有することで、フラットケーブル９ａの端部９１は該傾斜面４１に沿って係合凸部４を乗り越えることができ、フラットケーブル９ａの挿入を容易にすることが可能となる。また、各係合凸部４の後面４２は、フラットケーブル９ａの左右の端に形成される後縁部９３と対向するため、フラットケーブル９ａの抜けや外れを防止できる。また、係合凸部４Ａ及び係合凸部４Ｂは、配置面２１の左右の端に設けられているため、フラットケーブル９ａにおいて、導電面９５と繋がる配線（図示せず）が配置される中央部分を避けた位置（例えば、フラットケーブル９ａの左右の端部）に、係合凸部４と係合するための後縁部９３を設けることができる。
【００２８】
また、ステージ２の下側には、配置面２１と向き合い且つ配置面２１との間に隙間を有する対向部３が形成されている。作業者は、ステージ２と対向部３との間にフラットケーブル９ａを挿入することができる。対向部３は、配置面２１の下に挿入された状態のフラットケーブル９ａの下方に位置する。対向部３は、係合凸部４Ａ，４Ｂの下方且つ前方で左右方向に沿って伸びている延伸部３１と、この延伸部３１から後側に向かって伸びている張り出し部３２とを有している。延伸部３１は、左側の側壁部１０Ａの前面１０２Ａと繋がる接続部３１１Ａと、右側の側壁部１０Ｂの前面１０２Ｂと繋がる接続部３１１Ｂと、これらの接続部３１１Ａ，３１１Ｂよりも前方に位置する前縁部３１２とを有している。本実施形態では、接続部３１１Ａと接続部３１１Ｂとは、左右方向に沿って平行に並んでいる。延伸部３１は、接続部３１１Ａ，３１１Ｂを介して２つの側壁部１０Ａ，１０Ｂに掛け渡された状態で、これらの側壁部１０Ａ，１０Ｂの前面に固定されている。なお、本実施形態では、延伸部３１が本発明の「第１の部分」に相当し、張り出し部３２が本発明の「第２の部分」に相当する。
【００２９】
図２及び図３に示すように、張り出し部３２は、延伸部３１よりも左右方向における横幅が狭い板状に形成されており、延伸部３１の左右方向における中心部から配置面２１に沿って後方に伸びている。張り出し部３２は、接続部３１１Ａ，３１１Ｂよりも後方に伸びており、その上下方向の厚さと左右方向における横幅の広さは、前端から後端へ向かうにつれて小さくなっている。張り出し部３２は、平面的に見て、配置面２１の左端に設けられた係合凸部４Ａと、配置面２１の右端に設けられた係合凸部４Ｂとの間に位置している。張り出し部３２は、フラットケーブル９ａの挿入過程で、該フラットケーブル９ａの端部９１を下側から支える。これにより、フラットケーブル９ａの端部９１が配置面２１から下方に離れることを防ぎ、フラットケーブル９ａの外れを防止することができる。即ち、第１コネクタ１ａに張り出し部３２を形成することで、第１コネクタ１ａのフラットケーブル９ａに対する取付安定性を向上させることができる。
【００３０】
図４Ｂに示すように、張り出し部３２は、第１コネクタ１ａの断面図において、配置面２１及び係合凸部４の下面４３と向き合う上面３２１を有している。ここで、係合凸部４の下面４３から配置面２１までの高さ（ｓ１）は、該下面４３から張り出し部３２の上面３２１までの距離（ｓ２）よりも大きくなっている。これにより、フラットケーブル９ａの端部９１の上下方向における厚みを、係合凸部４の下面４３から張り出し部３２の上面３２１までの距離ｓ２よりも大きく形成することができ、係合凸部４に係合されたフラットケーブル９ａの端部９１を外れにくくすることができる。また、張り出し部３２の後端３２２は、係合凸部４の後面４２よりも後方に位置している。したがって、張り出し部３２の後端３２２は、第１コネクタ１ａに挿入されたフラットケーブル９ａの後縁部９３（即ち、係合凸部４と係合する部分）よりも、該フラットケーブル９ａの後側を覆う。これにより、第１コネクタ１ａに挿入された状態のフラットケーブル９ａを外れにくくすることができる。なお、本実施形態では、係合凸部４の下面４３が本発明における「第１の面」に相当し、張り出し部３２の上面３２１が本発明における「第２の面」に相当する。
【００３１】
また、図３及び図４Ａに示すように、接続部３１１Ａ，３１１Ｂを中心にして張り出し部３２が上下方向に動くように、対向部３は弾性変形可能である。対向部３は、例えば、フラットケーブル９ａが挿入されていない状態の基準姿勢Ｗ１よりも、張り出し部３２が下方に押し下げられた押し下げ姿勢Ｗ２と、張り出し部３２が上方に持ち上げられた持上げ姿勢Ｗ３との間で弾性変形可能である。張り出し部３２が押し下げ姿勢Ｗ２にあるとき、基準姿勢Ｗ１よりも張り出し部３２と配置面２１との距離は大きくなる。張り出し部３２が持ち上げ姿勢Ｗ３にあるとき、基準姿勢Ｗ１よりも張り出し部３２と配置面２１との距離は小さくなる。対向部３は、２つの接続部３１１Ａ，３１１Ｂを支点として弾性変形可能であるため、張り出し部３２は、これら２つの接続部３１１Ａと接続部３１１Ｂとの間に位置する中心部Ｔを中心として、上方又は下方に傾くことができる。
【００３２】
図５Ａに示すように、フラットケーブル９ａの挿入過程の一例では、張り出し部３２は、フラットケーブル９ａの端部９１に押されて下方に動く。これにより、フラットケーブル９ａを挿入するスペースを、張り出し部３２の上面３２１と係合凸部４の下面４３との間に確保することができる。
【００３３】
この他にも、フラットケーブル９ａの端部９１の撓みを利用して、張り出し部３２の変形を生じることなく、フラットケーブル９ａを挿入できるようにしてもよい。即ち、フラットケーブル９ａの端部９１が、その左右方向の中央部が右端及び左端に対して膨らむように撓む場合には、フラットケーブル９ａの右端と左端とに形成されている後縁部９３は、張り出し部３２の変形を生じさせることなく、配置面２１の右端と左端とに形成されている係合凸部４Ａ，４Ｂの傾斜面４１を乗り越えることができる。
【００３４】
対向部３を構成している延伸部３１の前縁部３１２は、接続部３１１Ａ、３１１Ｂ、中心部Ｔを中心にして、張り出し部３２とは反対側に動くことができる。すなわち、前縁部３１２が配置面２１から離れる方向に動くことで、張り出し部３２は配置面２１に近づく方向に動く。例えば、第１コネクタ１ａに取り付けられたフラットケーブル９ａが前方且つ下方の斜め方向に引っ張られると、フラットケーブル９ａの端部９１により前縁部３１２が下方に押され、張り出し部３２が上方へ動く。そうすると、フラットケーブル９ａの端部９１は、張り出し部３２の上面３２１により押されて、配置面２１に押し付けられる。つまり、フラットケーブル９ａが引っ張られた際、張り出し部３２の上面３２１が該フラットケーブル９ａの端部９１を押圧するため、第１コネクタ１ａから該フラットケーブル９ａが外れることを防止することができる。
【００３５】
図２及び図４Ｂに示すように、側壁部１０Ａ，１０Ｂの前面には、溝部１３が形成されている。溝部１３は、上下方向において、延伸部３１の端部と配置面２１との間に形成されており、溝部１３の底面は、上下方向における中心部が深くなるように形成されている。図４Ｂに示すように、溝部１３の底面は、左方（又は右方）且つ前方へ向かう斜めに伸びており、側壁部１０の内面１０１に接する溝部１３の内側の底面１３１は、側壁部１０の外面に接する外側の底面１３２よりも後方に位置している。図３に示すように、溝部１３の前方に、フラットケーブル９ａの前縁部９４が配置される。フラットケーブル９ａが挿入される際、フラットケーブル９ａの前縁部９４は、斜めに形成される縁部１３に沿って右方（又は左方）に押されるため、フラットケーブル９ａの端部９１は、左右方向においてずれることなく配置面２１の下方に挿入される。
【００３６】
図２乃至図４Ｂに示すように、配置面２１の下側には、フラットケーブル９ａを配置面２１の下に導くためのガイド部５が形成されている。左側の係合凸部４Ａの後方（より具体的には、配置面２１の左後側の角）には、ガイド部５Ａが形成されており、右側の係合凸部４Ｂの後方（より具体的には、配置面２１の右後側の角）には、ガイド部５Ｂが形成されている。図３に示すように、ガイド部５Ａ，５Ｂは、平面的に見て略方形に形成されており、左右方向に沿って平行に並んでいる。
【００３７】
図４Ａに示すように、ガイド部５は、配置面２１と向き合うように形成されている。より具体的には、ガイド部５は、配置面２１に沿って伸び、配置面２１と向き合う上面５１と、上面５１の前端から前方且つ下方の斜めに伸びる傾斜面５２と、上面５１の後端において上方に起立する後面５３とを有している。配置面２１とガイド部５の上面５１との間の距離は、フラットケーブル９ａの端部９１における上下方向の厚さよりも若干広くなっている。図５Ｂに示すように、フラットケーブル９ａの端部９１が配置面２１の下の正規挿入位置に挿入されている状態で、フラットケーブル９ａの後端の縁は、配置面２１とガイド部５との上面５１の間に配置される。
【００３８】
また、図４Ａ，図４Ｂに示すように、配置面２１と張り出し部３２の上面３２１との間の距離（ｓ１＋ｓ２）は、配置面２１とガイド部５の上面５１との間の距離（ｓ３）よりも大きくなっている。このようにフラットケーブル９ａの端部９１を挿入する挿入路Ｓ１の入口部分を広く設けることで、該端部９１の挿入を容易にすることができる。さらに、配置面２１の前端には前側且つ上側の斜めに伸びる斜面２１１が形成されており、対向部３の前端を構成する延伸部３１には前側且つ下側の斜めに伸びる斜面３１３が形成されている。これにより、フラットケーブル９ａが挿入される入口部分の上下方向における高さ（ｓ４）を、配置面２１と張り出し部３２の上面３２１との間の距離（ｓ１＋ｓ２）よりも大きくすることができ、該フラットケーブル９ａの端部９１の挿入を、さらに容易にすることができる。
【００３９】
図５Ａ及び図５Ｂに示すように、フラットケーブル９ａの端部９１は、配置面２１と対向部３との間に、第１コネクタ１ａの前側から後側に向かう挿入路Ｓ１に沿って挿入することができる。フラットケーブル９ａの挿入過程において、フラットケーブル９ａの端部９１は係合凸部４を乗り越えるため、フラットケーブル９ａの後端側が下方に傾く。ここで、張り出し部３２は、フラットケーブル９ａの端部９１に押されて下方に動くが、この状態で、張り出し部３２には、弾性的に基準姿勢Ｗ１に戻る力が働くため、フラットケーブル９ａの端部９１は、下方から水平方向に向くように付勢される。また、配置面２１と傾斜面５２の前端部５２１との上下方向における距離（ｓ５）は、係合凸部４の下面４３から配置面２１までの高さ（ｓ１）及び、配置面２１と張り出し部３２の上面３２１との間の距離（ｓ１＋ｓ２）よりも大きい。このため、仮に、フラットケーブル９ａの端部９１が下方に傾いた状態で第１コネクタ１ａの奥側に進んでも、該フラットケーブル９ａの後端の縁は、ガイド部５の傾斜面５２に当たって上方に押されて、ガイド部５の上面５１の上に配置される。さらに、フラットケーブル９ａの端部９１をガイド部５の後面５３と当接させることで、該フラットケーブル９ａの端部９１が正規挿入位置（図５Ｂ参照）よりもさらに後方に挿入されることを防止している。
【００４０】
以上のように、本実施形態に係る第１コネクタ１ａは、配置面２１の下方において、配置面２１に沿って前後方向に伸びる張り出し部３２を特に有している。張り出し部３２がフラットケーブル９の端部９１を下側から支え、フラットケーブル９ａの外れを防止することで、フラットケーブル９ａに対する第１コネクタ１ａの取付安定性を向上させることができる。
【００４１】
[２．第２の実施形態]
本発明を実施するための第２の実施形態について、図６を参照しながら説明する。図６は、第２の実施形態に係る、第１コネクタ１ｂ、及びフラットケーブル９ｂを斜め下から見た斜視図である。第１コネクタ１ｂは、フラットケーブル９ｂが取り付けられた状態で、第１の実施形態で説明した第２コネクタ６へ挿入可能である。図６では、第１の実施形態と同一箇所には同一符合を付している。以下では、主に第１の実施形態と異なる点についてのみ説明する。第２の実施形態について説明のない事項は第１の実施形態と同様である。
【００４２】
第１コネクタ１ｂは、第１の実施形態で説明した第１コネクタ１ａとは異なり、左右非対称に形成される。また、フラットケーブル９ｂも、第１コネクタ１ｂの形状に合わせて左右非対称に形成される。このように、第１コネクタ１ｂ及びフラットケーブル９ｂの形状を左右非対称とすることで、フラットケーブル９ｂの上下が入れ替えられた状態で、第１コネクタ１ｂに挿入されることを防止できる。
【００４３】
第１コネクタ１ｂの左端と右端とには、互いに形状が異なる側壁部１０１０Ａ及び側壁部１０Ｂが形成されている。第１コネクタ１ｂの右端には、第１の実施形態で説明した第１コネクタ１ａと同様に、溝部１３を含む側壁部１０Ｂが形成されている。一方、第１コネクタ１ｂの左側（Ｙ１側）に形成される側壁部１０１０Ａには、溝部１３は形成されていない。即ち、側壁部１０１０Ａの左端面、内面、及び前面１１０２は、溝部１３やその上側の切欠きを充填するように広がっている。
【００４４】
また、フラットケーブル９ｂの左側で斜めに伸びる前縁部１０９４の端（換言すると、フラットケーブル９ｂにおいて、左右方向の幅が最も狭い括れ部Ｕの左前方）には、略方形に切り取られた切欠き１０９９が形成されている。フラットケーブル９ｂの左端に切欠き１０９９を設けることで、該フラットケーブル９ｂの挿入過程で、左側の側壁部１０１０Ａに衝突しないようにしている。フラットケーブル９ｂが第１コネクタ１ｂに挿入された状態で、切欠き１０９９の前側の縁１９９１は、側壁部１０１０Ａの前面１１０２と前後方向において向かい合うように配置される。
【００４５】
第１コネクタ１ｂには、配置面２１の下方に配置される対向部１００３が形成されており、その前側で左右方向に沿って伸びる延伸部１０３１は、左側の接続部１３１１Ａと、右側の接続部１３１１Ｂと、これら２つの接続部に接続される前縁部１３１２とを有している。左右の接続部１３１１Ａ，１３１１Ｂは、左右の側壁部１０１０Ａ，１０Ｂの前方にそれぞれ形成されている。右側の接続部１３１１Ｂは、第１の実施例で説明した接続部３１１Ｂと同様に、右側の側壁部１０Ｂの前面１０２Ｂにおいて左右方向に伸びている。左側の接続部１３１１Ａは、左側の側壁部１０１０Ａの右側面に位置し、前面１１０２から後方に向かって伸びている。左側の側壁部１０１０Ａの前面１１０２は、右側の側壁部１０Ｂの前面１０２Ｂよりも前方に位置しており、また、左側の接続部１３１１Ａは、右側の接続部１３１１Ｂよりも前方に位置している。延伸部１０３１は、右側の側壁部１０Ｂの前面１０２Ｂと、左側の側壁部１０１０Ａの前面１１０２及び右側面において固定される。
【００４６】
張り出し部１０３２は、第１の実施形態と同様に、延伸部１０３１の後方に向かい、配置面２１に対して水平方向に伸びている。張り出し部１０３２は、フラットケーブル９ｂの挿入過程で、該フラットケーブル９ｂの端部１０９１を下側から支える。これにより、フラットケーブル９ｂの挿入過程における抜けや外れを防止し、第１コネクタ１ｂのフラットケーブル９ｂに対する取付安定性を向上させることができる。
【００４７】
また、第１の実施形態と同様に、対向部１００３は弾性変形可能であり、接続部１３１１Ａ，１３１１Ｂを中心にして張り出し部１０３２が上下方向に動く。張り出し部１０３２は、フラットケーブル９ｂの端部１０９１に押されることで下方に傾く。これにより、フラットケーブル９ｂが挿入されるスペースを確保することができる。また、第１コネクタ１ｂに挿入された状態のフラットケーブル９ｂが引っ張られることで前縁部１３１２が下方に動くと、張り出し部１０３２は配置面２１に近づく上方に動いて、フラットケーブル９ｂの端部１０９１を該配置面２１に押し付ける。これにより、第１コネクタ１ｂからフラットケーブル９ｂが外れることを防止することができる。なお、前縁部１３１２は、右端において側壁部１０Ｂの前面に接続している一方で、左端において側壁部１０１０Ａの内面に接続している。このため、対向部１００３が弾性変形した状態で、張り出し部１０３２は、左右の水平方向に対して斜めに傾く。具体的には、対向部１００３が弾性変形した際の張り出し部１０３２の左側の上下方向における移動距離は、該張り出し部１０３２の右側の移動距離よりも大きいものとなる。
【００４８】
[３．変形例]
なお、本発明は以上説明した実施形態に限られず、種々の変更がなされてよい。例えば、第１の実施形態では、延伸部３１が左右方向において伸びており、左右の側壁部１０Ａ，１０Ｂに架け渡されている場合について説明したが、延伸部３１は、必ずしも側壁部１０Ａ，１０Ｂに架け渡されていなくてもよい。延伸部３１は、例えば、左右方向における中間の位置で切断されていてもよく、張り出し部３２は、切断された延伸部３１の端部から後方に伸びていてもよい。また、延伸部３１は、必ずしも左右に２つの接続部３１１Ａ，３１１Ｂを有していなくてもよく、接続部３１１Ａ，３１１Ｂのうちの一方を有し、そこから右方又は左方に伸びていてもよい。
【００４９】
また、第１の実施形態においては、係合凸部４の後面４２が、張り出し部３２の後端３２２よりも前方に形成される場合について説明したが、係合凸部４の後面４２は、張り出し部３２の後端３２２の後方に形成されてもよい。また、係合凸部４は、前後方向において張り出し部３２と重ならない後方に形成されてもよい。また、係合凸部４は、配置面２１の左右の端に配置されなくてもよく、配置面２１の左右方向における中央に配置されてもよい。
【００５０】
なお、本明細書の開示は本発明の一例にすぎず、本発明の主旨を保った適宜変更であって当業者が容易に想到し得るものは本発明の範囲に含まれる。図面で示す各部の幅、厚さ及び形状等は模式的に表されており、本発明の解釈を限定するものではない。
【符号の説明】
【００５１】
１ａ，１ｂ  第１コネクタ、１０Ａ，１０Ｂ，１０１０Ａ  側壁部、１０１  内面、１０２Ａ，１０２Ｂ，１１０２  前面、１１  板バネ部、１１１  係合部、１１２  被押圧面、１２  ガード部、１３  溝部、１４  上壁部、２  ステージ、２１  配置面、３，１００３  対向部、３１，１０３１  延伸部、３１１Ａ，３１１Ｂ，１３１１Ａ，１３１１Ｂ  接続部、３１２，１３１２  前縁部、３２，１０３２  張り出し部、３２１  上面、３２２  後端、４Ａ，４Ｂ  係合凸部、４１  傾斜面、４２  後面、４３  下面、５Ａ，５Ｂ  ガイド部、５１  上面、５２  傾斜面、５３  後面、５４  下壁部、６  第２コネクタ、６１  壁部、６１１  前面、６１２  突き出し部、６１３  窪み、６１４  縁部、６５  上スペース、６６  下スペース、７  ネイル、８  端子、９ａ，９ｂ  フラットケーブル、９１，１０９１  端部、９２  補強板、９３  後縁部、９４，１０９４  前縁部、９５  導電面、１０９９  切欠き、１９９１  縁。
【図１】
0006401676.tif 000002
【図２】
0006401676.tif 000003
【図３】
0006401676.tif 000004
【図４Ａ】
0006401676.tif 000005
【図４Ｂ】
0006401676.tif 000006
【図５Ａ】
0006401676.tif 000007
【図５Ｂ】
0006401676.tif 000008
【図６】
0006401676.tif 000009